(57)【要約】【課題】画像形成装置をその使用予約状況に基づいて、動作モードを節電モードに変更して待機時における消費電力の節減を図り、またネットワークに接続された他の画像形成装置と連携して動作モードを変更することができる画像形成システムを提供する。【解決手段】ネットワークに接続可能なデジタル複合機１０ａはネットワーク３３に接続され、デジタル複合機１０ａを使用する予約状況を記憶する予約状況記憶手段と、使用予約がない時間帯については動作モードを節電モードに変更する電力制御手段を有する。例えば、１２〜１３時に使用予約が設定されていない場合、１２時に節電モードに移行し、１３時になったら通常の動作モードに復帰する。また、管理サーバ４０はネットワーク接続されたデジタル複合機１０ａ，１０ｂの動作モードを把握しており、ネットワーク接続された管理サーバ４０による直接制御を行うこともできる。【選択図】図１
2006345068.tif 000002
【特許請求の範囲】
【請求項１】
ネットワークに接続可能な画像形成装置において、該画像形成装置を使用する予約状況を記憶する予約状況記憶手段と、前記予約状況に基づき動作モードを変更する電力制御手段を有することを特徴とする画像形成装置。
【請求項２】
請求項１に記載の画像形成装置において、前記電力制御手段は前記画像形成装置を使用する予約がない場合に、前記動作モードを節電モードに変更することを特徴とする画像形成装置。
【請求項３】
請求項１または２に記載の画像形成装置において、前記電力制御手段は前記動作モードを日時に応じて制御することを特徴とする画像形成装置。
【請求項４】
複数の画像形成装置及びサーバ装置がネットワークを介して接続された画像形成システムにおいて、前記複数の画像形成装置は請求項１乃至３のいずれかに記載の画像形成装置からなり、前記サーバ装置は前記複数の画像形成装置のそれぞれの動作モードを記憶する動作モード記憶手段と、前記複数の画像形成装置の動作モードを個別に制御する管理手段を有することを特徴とする画像形成システム。
【発明の詳細な説明】
【技術分野】
【０００１】
本発明は、省エネのための電力制御手段を有する画像形成装置及び画像形成システムに関し、さらに詳しくは、画像形成装置の使用予約情報に基づいて動作モードを変更して消費電力を低減する画像形成装置及び画像形成システムに関する。
【背景技術】
【０００２】
近年、複写機能、ファクシミリ機能、プリンタ機能等を複合化させた複合機が多様化し、様々な機能が付加されている。その一例として、近年の複合機は、記録紙に印刷を行うだけでなく、送信された印刷データや読み取った画像データを外部の装置に送信する機能が付加され、外部へのデータ送信を容易にしている。外部装置への送信機能としては、「Scan to Email」、「Scan to FAX」、「Scan to FTP」といった機能が広く活用されている。
【０００３】
このような情報処理装置のネットワーク化によって、複数のプリンタ、デジタル複合機とパーソナルコンピュータ（ＰＣ）とがネットワークに接続され、印刷や複写に利用されている。プリンタやデジタル複合機をネットワークに組み込んで用いる場合、通常複数のユーザがプリンタや複合機を共有するため、どのような高速プリンタであっても、大量印刷処理が複数の共有ユーザから要求されると生産性が悪くなり、作業効率が落ちてしまう。生産性を上げるためには、２台目、３台目とネットワークによって共有されるプリンタや複合機を増やさなければならない。しかしながら、プリンタや複合機の台数を増やせば、待機時の消費電力もそれに応じて増大してしまう。
【０００４】
従来、複写機やプリンタ等の画像形成装置は、待機時の消費電力を節約するために、省電力モード（節電モード）に関する制御を各画像形成装置毎に行っていた。具体的には、画像形成装置の内部にタイマが設けられており、このタイマに基づいて一定時間、コピーやプリントが行われていないと判断されると、省電力モードに移行していた。
【０００５】
また、本発明に関連して次のような発明も知られている。
特許文献１には、ネットワークシステム全体の消費電力を検知しながら、消費電力があるレベルを超えないようにネットワークシステムを制御し、安定したシステム稼働を実現するサーバ装置及びネットワークシステム並びにそれらの制御方法が開示され、特許文献２には、ネットワークに接続された機器の電力消費量を管理することにより、システム全体の安定した稼働を実現可能なサーバ装置及びネットワークシステム並びにその制御方法が開示され、特許文献３には、複数の画像形成装置がネットワークで接続されているシステム全体の消費電力を効率的に制御するとともに、ユーザが使用しようとする画像形成装置の待ち時間が少なくなるように、各画像形成装置の省電力モードに関する制御を集中的に行うことが可能な省電力制御方法および省電力サーバが開示されている。また、特許文献４には、ネットワークに接続された少なくとも１台の端末装置、ネットワークに接続された複数の印刷装置、その端末装置からの印刷指令に基づき複数の印刷装置に印刷動作を行なわせる印刷制御装置等により構成されるネットワーク印刷システム、印刷制御装置及びプログラムが開示され、特許文献５には、ネットワークに接続された複数の画像形成装置の電力消費に関する情報を一元管理できる画像形成システムが開示され、特許文献６には、ネットワーク全体の省電力化を図るとともに急な印刷要求に対して高速な応答を実現するのに好適なデバイス状態制御システムが開示されている。
【０００６】
以上のような、従来用いられている多機能の複合機においては、機種毎においても、また利用する機能毎においても印刷速度が異なったり、オプション装置の装着有無等により機能が異なったりして消費電力が異なるため、待機時の消費電力を低減する場合の制御は複雑になりがちで、使用者の利便性を図りながら十分な消費電力の節減効果を得ることは困難であった。
【特許文献１】特開２００１−２３６１４６号公報
【特許文献２】特開２００２−１４２３８５号公報
【特許文献３】特開２００３−３２３９７号公報
【特許文献４】特開２００３−２０８２７０号公報
【特許文献５】特開２００３−３３５０２６号公報
【特許文献６】特開２００４−２２０１６３号公報
【発明の開示】
【発明が解決しようとする課題】
【０００７】
本発明は、前記したような問題点を解決するためになされたもので、画像形成装置をその使用予約状況に基づいて、画像形成装置毎に動作モードを節電モードに変更して、待機時における消費電力の節減を図ることができ、また、ネットワークに接続された他の画像形成装置と連携して動作モードを節電モードに変更することができる画像形成システムを提供することを目的とする。
【課題を解決するための手段】
【０００８】
本発明は、前記課題を解決するためのもので、以下の技術手段によって構成される。
第１の技術手段は、ネットワークに接続可能な画像形成装置において、該画像形成装置を使用する予約状況を記憶する予約状況記憶手段と、前記予約状況に基づき動作モードを変更する電力制御手段を有することを特徴とする。
【０００９】
第２の技術手段は、第１の技術手段の画像形成装置において、前記電力制御手段は前記画像形成装置を使用する予約がない場合に、前記動作モードを節電モードに変更することを特徴とする。
【００１０】
第３の技術手段は、第１または第２の技術手段の画像形成装置において、前記電力制御手段は前記動作モードを日時に応じて制御することを特徴とする。
【００１１】
第４の技術手段は、複数の画像形成装置及びサーバ装置がネットワークを介して接続された画像形成システムにおいて、前記複数の画像形成装置は第１乃至第３のいずれかの技術手段の画像形成装置からなり、前記サーバ装置は前記複数の画像形成装置のそれぞれの動作モードを記憶する動作モード記憶手段と、前記複数の画像形成装置の動作モードを個別に制御する管理手段を有することを特徴とする。
【発明の効果】
【００１２】
本発明は、複合機等の画像形成装置の使用予約状況に基づいて、画像形成装置の動作モードを省エネモードに移行させるので、使用する予定のない画像形成装置の節電を行うことが可能となる。また、ネットワークを介して接続された複数台の画像形成装置は、印刷速度が異なったり、オプション装置の装着有無等により機能が異なったりしていても、システム全体として管理するので、緊急に画像形成装置を使用するような場合にも、使用者に不都合を生じさせることなしに、使用する予定のない画像形成装置の節電を行うことが可能となる。
【発明を実施するための最良の形態】
【００１３】
本発明は、画像形成装置をその使用予約状況に基づいて、動作モードを節電モードに変更して待機時における消費電力の節減を図ることができる画像形成装置を提供し、またネットワークに接続された他の画像形成装置と連携して動作モードを節電モードに変更することができる画像形成システムを提供することを目的とする。そのため、ネットワークに接続可能な画像形成装置は、画像形成装置を使用する予約状況を記憶する予約状況記憶手段と、前記予約状況に基づき動作モードを変更する電力制御手段を有し、また画像形成システムは、複数の前記画像形成装置とサーバ装置とがネットワークを介して接続され、前記サーバ装置は前記複数の画像形成装置のそれぞれの動作モードを記憶する動作モード記憶手段と、前記複数の画像形成装置を個別に制御する管理手段とを有する。
【実施例１】
【００１４】
図１は、実施例１の画像形成装置としてのデジタル複合機、及び該デジタル複合機をネットワークに接続した画像形成システムの例を示すブロック図である。
図１において、デジタル複合機１０ａ，１０ｂは、それぞれ、機器制御部（ＣＰＵ）１１、画像取り込み部１２、操作部１３、画像形成部１４、画像メモリ１５、制御プログラム記憶部１６、タイマ１７、状態センサ１８、モデム部１９、通信部２０、管理部２１、記憶部２２等から構成されている。
【００１５】
デジタル複合機１０ａは、モデム部１９を介して電話回線網３１に接続され、管理者用等のファクシミリ装置３２と通信可能となっている。また、それぞれ通信部２０を介してＬＡＮ（Local Area Network）やＷＡＮ（Wide Area Network）等のネットワーク３３に接続されている。デジタル複合機１０ａ，１０ｂは、同じ構成であってもよいし、異なる構成であってもよいが、ネットワーク３３に接続される画像形成装置としてはプリンタ、複写機のような単一の機能を有する装置から前記したような複写機能、ファクシミリ機能、プリンタ機能、外部装置へのデータ送信機能等が複合化されたフルオプションの複合機まで多様な画像形成装置を接続することができる。
【００１６】
ネットワーク３３には、端末パーソナルコンピュータ（ＰＣ）３４、管理サーバ４０が接続され、ネットワーク３３はさらにインターネット３５に接続され、外部パーソナルコンピュータ（ＰＣ）３６やインターネットファクシミリ３７と通信することができる。
このようなネットワーク構成により、デジタル複合機１０ａ，１０ｂとネットワーク接続された各種機器との間で各種データの送受信が可能となっており、管理サーバ４０によってデジタル複合機１０ａ，１０ｂの印刷制御、動作モード制御等が行われる。
【００１７】
なお、本発明の画像形成装置としてのデジタル複合機１０ａ，１０ｂの構成や外部機器との接続形態は、この例に限ったものではなく、前記した各手段を備えていればよい。また、各手段は全てがハードウェアで構成される必要はなく、デジタル複合機をそれらの手段として機能させるプログラムを保持し、演算装置に実行させることも容易に実施することができる。
【００１８】
操作部１３は、操作画面の表示を行う出力部（表示部）とその表示に基づき利用者に各種設定及び操作内容を入力させる入力部とを備えるタッチパネル等からなる。画像取り込み部１２は、操作部１３での操作に基づき、原稿検知センサによって原稿の有無を検知し、ＣＣＤ（電荷結合素子）でその原稿を読み取り画像データとして出力する。モデム部１９は管理者用等のファクシミリ装置３２とのファクシミリ通信を行うためのモデムである。通信部２０は、ネットワーク３３を介して接続されたデジタル複合機１０ｂ等の外部機器との通信を制御する。画像形成部１４は、画像取り込み部１２で読み取った画像データやモデム部１９或いは通信部２０で受け取った受信データ等を画像メモリ１５に一時記憶し、レーザスキャナユニット（ＬＳＵ）を搭載した画像形成部１４から用紙等の媒体に画像を形成する。
【００１９】
制御部１１は、上述した各部に接続された主制御部であり、管理部２１の管理データ及びタイマ１７からのタイマ時間を参照しながら、デジタル複合機１０ａの各部間のデータのやり取りをはじめとしてデジタル複合機１０ａの動作を統括的に制御する。
【００２０】
管理部２１は、デジタル複合機１０ａが使用される予定日時等の使用予約状況が書き込まれた管理テーブルに整理して記憶部２２に記憶させ管理する。また、デジタル複合機の動作履歴に基づき動作モードを変更する機能を付加する場合には、デジタル複合機１０ａの稼働日時、時刻、時間、使用頻度、動作モード、ジョブの種類（複写、ファクシミリ、プリンタ等）、トナーや記録用紙等消耗品の残量といった稼働状況を各種の状態センサ１８によって検出し、状態センサ１８によって得られたデータとタイマ１７から得られる時刻情報に基づき動作履歴からなる管理テーブルに整理して記憶部２２に記憶させる。記憶部２２に記憶される使用予約状況及び動作履歴において、集計し記憶される期間を何日間、何週間、何か月等とするか、あるいは制御する単位を１分単位、１０分単位、あるいは時間単位等とするかは、その複合機が使用される環境に合わせて適宜設定可能である。
【００２１】
制御部１１における制御の一例を説明する。
デジタル複合機が現在稼働中でなく、また節電運転中でもないとき、デジタル複合機の現在の動作モードを節電モードに変更するか否かを判定するために、制御部１１は管理部２１に対し、記憶部２２に記憶された管理テーブルから予約状況を読み出すように指示する。管理部２１によって予約状況をチェックし、複合機が例えば１２時から１３時の間は使用される予定がないような場合には、１２時になったら直ちに複合機を節電モードに変更し、１３時になる所定時間前に通常の動作モードに変更して、１３時からの仕事に備えるといった制御を行う。
【００２２】
節電モードにおいては、画像形成部１４に備えられている定着ローラへの電源供給を停止、あるいは制限された電力を供給するようにしたり、ポリゴンミラーの回転速度を低速に落としたりして低消費電力の状態とする。そして、使用する予約のある時刻に達し通常の動作モードに復帰したら、定着ローラのへの電源供給を稼働時の状態に戻したり、ポリゴンミラーの回転速度を稼働時の状態に戻したりして、稼働時の動作モードにもどし、直ちに複合機を動作可能な状態に復帰させる。以上のような制御は、ＬＡＮ等のネットワーク３３に接続されているデジタル複合機１０ａ，１０ｂがそれぞれ独立して(スタンドアローンで)実施され、デジタル複合機１０ａ，１０ｂの状態は絶えず、後述する管理サーバ４０に通知される。
【００２３】
図２は、管理サーバの構成を示すブロック図である。
デジタル複合機１０ａ，１０ｂが接続されているＬＡＮ等のネットワーク３３には管理サーバ４０が接続されている。管理サーバ４０は、前記したようにスタンドアローンで制御されているデジタル複合機１０ａ，１０ｂの稼働状況を個別に監視し、その情報からシステム全体の消費電力を演算し、使用者の利便性を確保しながらシステム全体の動作制御を行っている。
【００２４】
管理サーバ４０は、ＣＰＵからなる制御部４１、制御プログラム記憶部４２、通信部４３、記憶部４４等からなり、制御部４１はＣＰＵからなり管理サーバ４０全体を制御する。記憶部４４はハードディスク等からなり、端末ＰＣ３４や外部ＰＣ３６等から転送されたプリントファイルや、デジタル複合機１０ａ，１０ｂから転送された稼働状況等を示すデータを格納する。制御プログラム記憶部４２は、ワークＲＡＭ及び制御部４１が実行する制御プログラムが記憶されている。
【００２５】
以下、本発明の画像形成装置及び画像形成システムの動作について説明する。
図３は、デジタル複合機が動作モードを変更する際の処理を示すフローチャートである。
デジタル複合機が節電モードで運転中でないとき、管理部２１は記憶部２２に記憶された管理テーブルから画像形成装置の使用開始時刻ｔ1、使用終了時刻ｔ2を読み出し（ステップ１）、現在時刻ｔが使用開始時刻ｔ1になると（ｔ＝ｔ1）（ステップ２）、通常モードに移行する（ステップ３）。通常モード移行時において、現在時刻ｔが使用終了時刻ｔ２になると（ｔ＝ｔ2）（ステップ４）、節電モードに復帰する（ステップ５）。
【００２６】
記憶部４４には、前記したようにデジタル複合機１０ａ，１０ｂから転送される個々の予約状況や稼働状況を示すデータが記憶されるが、ネットワーク接続されるデジタル複合機１０ａ，１０ｂそれぞれで行われるスタンドアローンの制御では行うことのできない制御を行うためのデータも記憶される。このような制御は、各デジタル複合機における単独の制御に委ねることが適当でない制御であって、どのような場合にどのデジタル複合機を直接制御するか、その場合動作モードをどのようにして、時間的にどのように制御するか等を予めユーザが設定するようにしておく。この例としては、“フルオプションの複合機は最初に立ち上げ、最後まで立ち上げておくといった制御”、“使用頻度が高い複合機は最初に立ち上げ最後まで立ち上げておくといった制御”、“消耗品の残量が少ない複合機は優先して節電モードに変更するといった制御”、“各複合機やネットワークに障害が発生した際の制御”等、つまりシステム全体として管理する必要があり、各デジタル複合機における単独の制御に委ねることが適当でない制御がある。
【００２７】
したがって、ネットワーク接続されたデジタル複合機１０ａ，１０ｂそれぞれにおいて、独立してそれぞれの予約状況、動作履歴に基づいて動作モードが変更される一方、管理サーバ４０が各複合機１０ａ，１０ｂの稼働状況、予約状況を監視し、“フルオプションの複合機は最初に立ち上げ、最後まで立ち上げておくといった制御”、“使用頻度が高い複合機は最初に立ち上げ最後まで立ち上げておくといった制御”、“消耗品の残量が少ない複合機は優先して節電モードに変更するといった制御”、“各複合機やネットワークに障害が発生した際の制御”、“全てのデジタル複合機について使用予約がない場合の制御”等が必要になったと判断されたときは、その複合機については管理サーバ４０で直接制御するようにしている。したがって、例えば全てのデジタル複合機が節電モードに入ってしまい、緊急に複合機を使用する際の不都合が生じるといったことはない。
【００２８】
このように、各デジタル複合機１０ａ，１０ｂにおける予約状況に基づく単独の制御と、ネットワーク接続された管理サーバ４０による直接制御とを併用することにより、各デジタル複合機を簡単な構成で節電モードに変更することが可能になり、また複数のデジタル複合機が独立して動作することにより生じるユーザにとっての不都合を回避し、省エネ効果を向上することができる。
【図面の簡単な説明】
【００２９】
【図１】実施例１のデジタル複合機、及び該デジタル複合機をネットワークに接続した画像形成システムを示すブロック図である。
【図２】管理サーバの構成を示すブロック図である。
【図３】デジタル複合機が動作モードを変更する際の処理を示すフローチャートである。
【符号の説明】
【００３０】
１０ａ，１０ｂ…デジタル複合機、１１…機器制御部（ＣＰＵ）、１２…画像取り込み部、１３…操作部、１４…画像形成部、１５…画像メモリ、１６…制御プログラム記憶部、１７…タイマ、１８…状態センサ、１９…モデム部、２０…通信部、２１…管理部、２２…記憶部、３２…管理者用等ファクシミリ装置、４０…管理サーバ、４１…制御部、４２…制御プログラム記憶部、４３…通信部、４４…記憶部。
【図１】
2006345068.tif 000003
【図２】
2006345068.tif 000004
【図３】
2006345068.tif 000005